(57)【要約】【課題】優先的に読影を行うべき検査をユーザーが容易に認識できるようにする。【解決手段】サーバー装置２の制御部２１によれば、検査情報における複数の項目間の優先順位及び項目毎の優先条件を入力するための読影優先順位設定画面３３０（３３６）を画像表示装置３に表示させ、当該画面から入力された複数の項目間の優先順位及び項目毎の優先条件をユーザーＤＢ２５３に設定する。そして、設定された複数の項目間の優先順位及び項目毎の優先条件に基づいて、検査情報ＤＢ２５２に記憶されている検査情報をソートして検査間の読影優先順位を決定し、優先的に読影を行うべき検査に関する情報をユーザーが識別可能な態様で表示手段に表示させる。【選択図】図５
2019215591.tif 000002
【特許請求の範囲】
【請求項１】
複数の項目により構成される検査情報を複数記憶する記憶手段と、
ユーザー操作に応じて前記検査情報における複数の項目間の優先順位及び項目毎の優先条件を設定する設定手段と、
前記検査情報における前記複数の項目間の優先順位及び前記項目毎の優先条件に基づいて検査間の読影優先順位を決定し、優先的に読影を行うべき検査を識別可能に表示手段に表示させる制御手段と、
を備える表示制御装置。
【請求項２】
前記制御手段は、前記検査情報における優先順位が上位の項目からソート処理を実施することにより、前記読影優先順位を決定する請求項１に記載の表示制御装置。
【請求項３】
前記制御手段は、前記優先的に読影を行うべき検査をユーザーに通知するための通知情報を前記表示手段に表示させる請求項１又は２に記載の表示制御装置。
【請求項４】
前記制御手段は、前記読影優先順位が最上位から予め設定された範囲の検査を前記優先的に読影を行うべき緊急性の高い検査として決定し、決定した前記緊急性の高い検査をユーザーに通知するための通知情報を前記表示手段に表示させる請求項３に記載の表示制御装置。
【請求項５】
前記設定手段は、ユーザー操作に応じて、さらに、前記検査情報におけるいずれの優先順位の項目までを前記優先的に読影を行うべき緊急性の高い検査の決定に用いるかを設定可能であり、
前記制御手段は、前記設定手段により前記緊急性の高い検査の決定に用いる項目として設定された全ての項目がその項目の優先条件を満たす検査情報に対応する検査を前記優先的に読影を行うべき緊急性の高い検査として決定し、決定した前記緊急性の高い検査をユーザーに通知するための通知情報を前記表示手段に表示させる請求項３に記載の表示制御装置。
【請求項６】
前記制御手段は、ユーザー操作により前記表示手段に表示された通知情報が指定された場合に、前記通知情報により通知された検査の医用画像を読影するための読影画面を前記表示手段に表示させる請求項３〜５のいずれか一項に記載の表示制御装置。
【請求項７】
前記設定手段は、ユーザー操作に応じて、さらに、前記優先的に読影を行うべき検査に関する情報の表示を行う曜日及び／又は時間帯を設定可能であり、
前記制御手段は、前記設定手段により設定された曜日及び／又は時間帯のみに前記読影優先順位の決定及び前記優先的に読影を行うべき検査の表示を行う請求項１〜６のいずれか一項に記載の表示制御装置。
【請求項８】
複数の項目により構成される検査情報を複数記憶する記憶手段と、
ユーザー操作に応じて前記検査情報における複数の項目間の優先順位及び項目毎の優先条件を設定する設定手段と、
表示手段と、
前記検査情報における前記複数の項目間の優先順位及び前記項目毎の優先条件に基づいて検査間の読影優先順位を決定し、優先的に読影を行うべき検査を識別可能に前記表示手段に表示させる制御手段と、
を備える医用画像表示システム。
【発明の詳細な説明】
【技術分野】
【０００１】
本発明は、表示制御装置及び医用画像表示システムに関する。
【背景技術】
【０００２】
従来、患者を撮影することにより得られた医用画像は、検査情報等に対応付けてデータベースに登録されている。データベースに登録された検査情報は医師が読影を行うための読影端末にリスト表示することができ、医師は読影を行う際、表示された検査リストの中から読影対象とする検査を選択して読影を行っている。
【０００３】
例えば、特許文献１には、検査リストを表示する際、読影済みの検査については読影済みであることを示すアイコンを表示することが記載されている。
【先行技術文献】
【特許文献】
【０００４】
【特許文献１】特開２００４−２８７７３２号公報
【発明の概要】
【発明が解決しようとする課題】
【０００５】
しかしながら、特許文献１に記載の技術においては、読影済みであるか否かを検査リストに表示するだけであるため、未読影の検査が複数存在する場合は、ユーザー（医師）が優先的に読影を行うべき検査を判断しなければならない。しかし、情報量の多いリストの中から優先的に読影を行うべき検査をユーザーが瞬時に判断するのは難しく、検査の選択に時間がかかる、優先的に読影を行うべき検査が後回しになってしまう場合がある等の問題があった。
【０００６】
本発明の課題は、優先的に読影を行うべき検査をユーザーが容易に認識できるようにすることである。
【課題を解決するための手段】
【０００７】
上記課題を解決するため、請求項１に記載の発明の表示制御装置は、
複数の項目により構成される検査情報を複数記憶する記憶手段と、
ユーザー操作に応じて前記検査情報における複数の項目間の優先順位及び項目毎の優先条件を設定する設定手段と、
前記検査情報における前記複数の項目間の優先順位及び前記項目毎の優先条件に基づいて検査間の読影優先順位を決定し、優先的に読影を行うべき検査を識別可能に表示手段に表示させる制御手段と、
を備える。
【０００８】
請求項２に記載の発明は、請求項１に記載の発明において、
前記制御手段は、前記検査情報における優先順位が上位の項目からソート処理を実施することにより、前記読影優先順位を決定する。
【０００９】
請求項３に記載の発明は、請求項１又は２に記載の発明において、
前記制御手段は、前記優先的に読影を行うべき検査をユーザーに通知するための通知情報を前記表示手段に表示させる。
【００１０】
請求項４に記載の発明は、請求項３に記載の発明において、
前記制御手段は、前記読影優先順位が最上位から予め設定された範囲の検査を前記優先的に読影を行うべき緊急性の高い検査として決定し、決定した前記緊急性の高い検査をユーザーに通知するための通知情報を前記表示手段に表示させる。
【００１１】
請求項５に記載の発明は、請求項３に記載の発明において、
前記設定手段は、ユーザー操作に応じて、さらに、前記検査情報におけるいずれの優先順位の項目までを前記優先的に読影を行うべき緊急性の高い検査の決定に用いるかを設定可能であり、
前記制御手段は、前記設定手段により前記緊急性の高い検査の決定に用いる項目として設定された全ての項目がその項目の優先条件を満たす検査情報に対応する検査を前記優先的に読影を行うべき緊急性の高い検査として決定し、決定した前記緊急性の高い検査をユーザーに通知するための通知情報を前記表示手段に表示させる。
【００１２】
請求項６に記載の発明は、請求項３〜５のいずれか一項に記載の発明において、
前記制御手段は、ユーザー操作により前記表示手段に表示された通知情報が指定された場合に、前記通知情報により通知された検査の医用画像を読影するための読影画面を前記表示手段に表示させる。
【００１３】
請求項７に記載の発明は、請求項１〜６のいずれか一項に記載の発明において、
前記設定手段は、ユーザー操作に応じて、さらに、前記優先的に読影を行うべき検査に関する情報の表示を行う曜日及び／又は時間帯を設定可能であり、
前記制御手段は、前記設定手段により設定された曜日及び／又は時間帯のみに前記読影優先順位の決定及び前記優先的に読影を行うべき検査の表示を行う。
【００１４】
請求項８に記載の発明の医用画像表示システムは、
複数の項目により構成される検査情報を複数記憶する記憶手段と、
ユーザー操作に応じて前記検査情報における複数の項目間の優先順位及び項目毎の優先条件を設定する設定手段と、
表示手段と、
前記検査情報における前記複数の項目間の優先順位及び前記項目毎の優先条件に基づいて検査間の読影優先順位を決定し、優先的に読影を行うべき検査を識別可能に前記表示手段に表示させる制御手段と、
を備える。
【発明の効果】
【００１５】
本発明によれば、優先的に読影を行うべき検査をユーザーが容易に認識することが可能となる。
【図面の簡単な説明】
【００１６】
【図１】本実施形態における医用画像表示システムの全体構成例を示す図である。
【図２】図１のサーバー装置の機能的構成を示すブロック図である。
【図３】図１の画像表示装置の機能的構成を示すブロック図である。
【図４】読影優先順位設定画面の一例を示す図である。
【図５】図２の制御部により実行される表示制御処理Ａを示すフローチャートである。
【図６】通知情報の一例を示す図である。
【図７】通知情報の他の例を示す図である。
【図８】通知情報の他の例を示す図である。
【図９】通知情報の他の例を示す図である。
【図１０】読影画面の一例を示す図である。
【図１１】通知の使用の有無を設定可能な読影優先順位設定画面の一例を示す図である。
【図１２】通知を使用する曜日及び／又は時間帯を設定可能な読影優先順位設定画面の一例を示す図である。
【図１３】緊急性判断レベルを設定可能な読影優先順位設定画面の一例を示す図である。
【図１４】緊急性判断レベルを設定可能な読影優先順位設定画面の一例を示す図である。
【図１５】図２の制御部により実行される表示制御処理Ｂを示すフローチャートである。
【発明を実施するための形態】
【００１７】
以下、図面を参照して本発明に係る好適な実施形態について説明する。なお、本発明は、図示例に限定されるものではない。
【００１８】
＜第１の実施形態＞
（医用画像表示システム１００の構成）
まず、本発明の第１の実施形態の構成を説明する。
図１に、本実施形態における医用画像表示システム１００のシステム構成を示す。
図１に示すように、医用画像表示システム１００は、画像生成装置１、サーバー装置２、画像表示装置３を備えて構成されている。これら各装置１〜３は、ＬＡＮ（Local Area Network）等の医療施設内で構築された通信ネットワークＮを介して相互にデータを送受信可能に接続されている。通信ネットワークＮは、ＤＩＣＯＭ（Digital Imaging and Communication in Medicine）規格が適用されている。なお、各装置の台数は、特に限定されない。
【００１９】
以下、各構成装置１〜３について説明する。
画像生成装置１は、人体における被写体部位を撮影し、その撮影画像（医用画像）のデジタルデータを生成するモダリティーであり、例えば、ＣＲ（Computed Radiography）装置、ＦＰＤ（Flat Panel Detector）装置、ＣＴ（Computed Tomography）装置、ＭＲＩ（Magnetic Resonance Imaging）装置、超音波診断装置等を適用可能である。
【００２０】
なお、画像生成装置１は、上述したＤＩＣＯＭ規格に準拠した装置であり、生成した各医用画像に付帯させる各種情報（付帯情報）を外部から入力可能であるとともに、自動生成することもできる。付帯情報としては、例えば、患者ＩＤ、患者の名前、性別、生年月日、検査ＩＤ、検査時刻、検査条件（撮影部位、撮影方向、体位等）、検査記述、モダリティー種、読影依頼フラグ（ＯＮ／ＯＦＦ）等の複数の項目の情報が含まれる。画像生成装置１は、生成された医用画像に上記付帯情報や画像を識別するためのＵＩＤ（Unique ＩＤ）をヘッダ情報として付加して通信ネットワークＮを介してサーバー装置２へ送信する。
【００２１】
サーバー装置２は、画像生成装置１で生成された複数の医用画像をデータベース（画像ＤＢ２５１）に記憶し、管理する。また、サーバー装置２は、後述する表示制御処理Ａを実行し、検査間の読影優先順位を決定して優先的に読影を行うべき検査を識別可能に画像表示装置３に表示させる。
【００２２】
図２に、サーバー装置２の機能構成例を示す。
図２に示すように、サーバー装置２は、制御部２１、操作部２２、表示部２３、通信部２４、記憶部２５を備えて構成され、各部はバス２６により接続されている。
【００２３】
制御部２１は、ＣＰＵ（Central Processing Unit）、ＲＡＭ（Random Access Memory）等により構成される。制御部２１のＣＰＵは、記憶部２５に記憶されているシステムプログラムや処理プログラム等の各種プログラムを読み出してＲＡＭに展開し、展開されたプログラムに従って各種処理を実行する。制御部２１は、後述する表示制御処理Ａを実行することにより、設定手段、制御手段として機能する。
【００２４】
操作部２２は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部２１に出力する。
【００２５】
表示部２３は、例えば、ＣＲＴ（Cathode Ray Tube）やＬＣＤ（Liquid Crystal Display）等のモニターを備えて構成されており、制御部２１から入力される表示信号の指示に従って、各種画面を表示する。
【００２６】
通信部２４は、ＬＡＮカード等を備え、通信ネットワークＮに接続された外部機器との間でデータの送受信を行う。
【００２７】
記憶部２５は、例えばＨＤＤ（Hard Disk Drive）や半導体の不揮発性メモリ等で構成されている。記憶部２５には、前述のように各種プログラムが記憶されている。記憶部２５に記憶されているプログラムには、後述する表示制御処理Ａを実行させるためのプログラムが記憶されている。
【００２８】
また、記憶部２５には、画像ＤＢ（Data Base）２５１、検査情報ＤＢ２５２、ユーザーＤＢ２５３が設けられている。
【００２９】
画像ＤＢ２５１は、医用画像を格納するためのデータベースである。
検査情報ＤＢ２５２は、画像ＤＢ２５１に記憶されている医用画像を撮影した検査に関する情報（検査情報）を格納するためのデータベースである。検査情報ＤＢ２５２に格納される検査情報には、検査ＩＤ、被検者の患者ＩＤ、患者の名前、性別、生年月日、検査時刻、検査条件（撮影部位、撮影方向、体位等）、検査記述、モダリティー種、読影依頼フラグ（ＯＮ／ＯＦＦ）、読影ステータス（未読影／読影完了）、検査で撮影された医用画像のＵＩＤ、医用画像のファイル格納場所、読影レポートの格納場所等の複数の項目が含まれる。
【００３０】
ユーザーＤＢ２５３は、画像ＤＢ２５１に記憶されている医用画像を読影可能なユーザー（医師）のユーザー情報を格納するためのデータベースである。ユーザー情報には、ユーザーＩＤ、パスワード等のログイン情報、ユーザー名、診療科、読影優先順位設定情報（詳細後述）が含まれる。
【００３１】
制御部２１は、通信部２４により画像生成装置１からの医用画像が受信されると、受信された医用画像を画像ＤＢ２５１に格納するとともに、受信された医用画像のヘッダ情報を検査単位で統合して検査情報ＤＢ２５２に格納する。このとき、読影ステータス情報は未読影とする。また、制御部２１は、通信部２４により画像表示装置３から読影レポートの登録が指示されると、登録指示された読影レポートを記憶部２５に格納するとともに、読影ステータス情報を読影完了に変更する。
【００３２】
画像表示装置３は、サーバー装置２の画像ＤＢ２５１に記憶されている医用画像を読影するための読影画面（図１０参照）、読影対象の検査を選択するための検査リスト画面、サーバー装置２から送信される通知情報等を表示するための読影アプリケーションが搭載された端末装置である。画像表示装置３としては、パーソナルコンピューター、タブレット、スマートフォン等が適用可能である。
【００３３】
図３に、画像表示装置３の機能構成例を示す。
図３に示すように、画像表示装置３は、制御部３１、操作部３２、表示部３３、通信部３４、記憶部３５を備えて構成され、各部はバス３６により接続されている。
【００３４】
制御部３１は、ＣＰＵ、ＲＡＭ等により構成される。制御部３１のＣＰＵは、記憶部３５に記憶されているシステムプログラムや読影アプリケーションを始めとする各種プログラムを読み出してＲＡＭに展開し、展開されたプログラムに従って各種処理を実行する。
【００３５】
操作部３２は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部３１に出力する。また、操作部３２は、表示部３３の表示画面にタッチパネルを備えても良く、この場合、タッチパネルを介して入力された指示信号を制御部３１に出力する。
【００３６】
表示部３３は、例えば、ＣＲＴ（Cathode Ray Tube）やＬＣＤ（Liquid Crystal Display）等のモニターを備えて構成されており、制御部３１から入力される表示信号の指示に従って、各種画面を表示する。
【００３７】
通信部３４は、ＬＡＮカード等により構成され、有線又は無線により通信ネットワークＮに接続された外部機器との間でデータの送受信を行う。
【００３８】
記憶部３５は、例えばＨＤＤ（Hard Disk Drive）や半導体の不揮発性メモリ等で構成
されている。記憶部３５には、前述のようにシステムプログラムや読影アプリケーションを始めとする各種プログラムが記憶されている。
【００３９】
（医用画像表示システム１００の動作）
次に、医用画像表示システム１００の動作について説明する。
【００４０】
画像表示装置３の制御部３１は、ユーザーが初めて読影アプリケーションにアクセスした際、読影アプリケーションに従って、新規ユーザー登録要求を通信部３４によりサーバー装置２に送信する。サーバー装置２の制御部２１は、新規ユーザー登録要求を受信すると、通信部２４によりユーザー登録画面（図示せず）の画面情報を画像表示装置３に送信して表示部３３に表示させ、ユーザーＩＤ、パスワード等のログイン情報、ユーザー名、診療科等のユーザー情報の入力を受け付ける。また、制御部２１は、読影優先順位設定画面３３０の画面情報を画像表示装置３に送信して表示部３３に表示させ、読影の優先順位を決定する際の検査情報における複数の項目間の優先順位及び項目毎の優先条件（優先する内容や優先順）等の読影優先順位設定情報の入力を受け付ける。そして、サーバー装置２の制御部２１は、入力されたユーザー情報及び読影優先順位設定情報をユーザーＤＢ２５３に登録（設定）する。
【００４１】
図４に、読影優先順位設定画面３３０の一例を示す。図４に示すように、読影優先順位設定画面３３０は、読影優先順位設定情報をユーザーが入力するための画面である。図４においては、検査情報における複数の項目のうち読影の優先順位を決定する際に最も優先すべき第１優先項目（例えば、読影ステータス）及びその項目の優先条件（例えば、未読影）、２番目に優先すべき第２優先項目（例えば、検査時刻）及びその項目の優先条件（現在時刻に近い順）、３番目に優先すべき第３優先項目（例えば、モダリティー）及びその項目の優先条件（ＭＲ、ＣＴ）、４番目に優先すべき第４優先項目（例えば、撮影部位）及びその項目の優先条件（頭部）を読影優先順位設定情報として設定可能である。
なお、本実施形態では、優先順位１〜４（第１優先項目から第４優先項目まで）を読影優先項目として設定可能である場合を例にとり説明するが、優先項目の数は特に限定されない。
【００４２】
ここで、読影アプリケーションでは、医用画像表示システム１００における動作モードとして読影モード又は設定モードを指定可能である。読影モードは、ユーザーが医用画像を読影するためのモードである。設定モードは、ユーザー情報や読影優先順位設定情報を設定変更したりするためのモードである。サーバー装置２は、画像表示装置３の読影アプリケーションからアクセスがあると読影モードとして後述する表示制御処理Ａを実行するが、読影アプリケーションにより設定モードでの動作が指示されると、ユーザー設定画面や読影優先順位設定画面３３０を表示部３３に表示させ、設定内容の変更を受け付ける。
【００４３】
図５に、画像表示装置３において読影アプリケーションが起動され、サーバー装置２に読影アプリケーションからのアクセスがあった場合に制御部２１により実行される表示制御処理Ａのフローチャートを示す。表示制御処理Ａは、制御部２１と記憶部２５に記憶されているプログラムとの協働により実行される。
【００４４】
まず、制御部２１は、画像表示装置３の表示部３３にログイン画面を表示させ、ログイン画面から入力された情報に基づいてログイン認証を行う（ステップＳ１）。
【００４５】
次いで、制御部２１は、ユーザーＤＢ２５３に記憶されている、ログインユーザーに対応する読影優先順位設定情報を読み込む（ステップＳ２）。
【００４６】
次いで、制御部２１は、検査情報ＤＢ２５２に記憶されている検査情報を、読影優先順位設定情報に設定されている第１優先項目の優先条件に基づいてソートし（ステップＳ３）、次いで、第２優先項目の優先条件に基づいてソートし（ステップＳ４）、次いで、第３優先項目の優先条件に基づいてソートし（ステップＳ５）、次いで、第４優先項目の優先条件に基づいてソートする（ステップＳ６）。
ステップＳ３〜Ｓ６の処理により検査間の読影優先順位が決定される。
【００４７】
ここで、ステップＳ２〜Ｓ６は、サーバー装置２においてバックグラウンドで行われる処理であり、ユーザーは、この間に画像表示装置３の操作部３２を操作して、読影アプリケーションにより検査リスト画面の表示の指示等を行うことができる。画像表示装置３の制御部３１は、検査リスト画面の表示が指示されると、通信部３４によりサーバー装置２に検査リスト画面を要求する。サーバー装置２の制御部２１は、検査リスト画面の表示要求を受信すると、ステップＳ６の終了を待機し、ステップＳ６が終了すると、優先的に読影を行うべき検査の順（読影優先順位の高い順）にソートされた検査リスト画面を画像表示装置３に表示させる。これにより、ユーザーは、優先的に読影を行うべき検査を容易に認識することができる。また、ユーザーは、操作部３２を操作して読影アプリケーションの画面を閉じてもよく、読影アプリケーションの画面が閉じられてもログアウトするまでは、サーバー装置２において表示制御処理Ａは実行される。
【００４８】
次いで、制御部２１は、ソートの結果、最上位となった検査を最優先で読影を行うべき検査であると判定し、最優先で読影を行うべき検査をユーザーに通知するための通知情報を生成して通信部２４により画像表示装置３に送信し、表示部３３に表示させる（ステップＳ７）。なお、このときユーザーが読影を行う画像表示装置３とは異なる画像表示装置に通知情報を送信して表示させてもよい。
【００４９】
図６〜図９に、ステップＳ７において表示部３３に表示される通知情報の例を示す。
【００５０】
図６は、表示部３３に検査リスト画面が表示されている場合に検査リスト画面上に表示される通知情報３３１の一例を示す図である。図６に示すように、通知情報３３１は、例えば、最優先で読影を行うべき検査に関する情報（患者氏名、検査時刻、モダリティー、撮影部位等）等の、検査情報の所定の項目の情報が表示されたポップアップ画面としてユーザーが識別可能な態様で表示される。ポップアップ画面には、読影ボタン３３１ａとキャンセルボタン３３１ｂが表示されている。操作部３２により読影ボタン３３１ａが押下されると、制御部３１は、通知情報３３１が指定された旨を通信部３４によりサーバー装置２に通知する。
【００５１】
図７は、表示部３３に検査リスト画面が表示されている場合に検査リスト画面内に表示される通知情報３３２の一例を示す図である。図７に示すように、通知情報３３２は、例えば、検査リスト画面における最優先で読影を行うべき検査の情報を他と異なる色でユーザーが識別可能な態様で表示したものである。操作部３２により通知情報３３２が押下されると、制御部３１は、通知情報３３２が指定された旨を通信部３４によりサーバー装置２に通知する。
【００５２】
図８は、読影アプリケーションの画面が閉じられている場合に、表示部３３に表示される通知情報３３３の一例を示す図である。図８に示すように、通知情報３３３は、表示部３３に表示されている画面（待ち受け画面等）上に、例えば、最優先で読影を行うべき検査に関する情報（患者氏名、検査時刻、モダリティー、撮影部位等）等、検査情報の所定の項目の情報が表示されたポップアップ画面としてユーザーが識別可能な態様で表示される。操作部３２により通知情報３３３が押下されると、制御部３１は、通知情報３３３が指定された旨を通信部３４によりサーバー装置２に通知する。
【００５３】
図９は、読影アプリケーションの画面が閉じられている場合に、表示部３３に表示される通知情報３３４の一例を示す図である。図９に示すように、通知情報３３４は、表示部３３に表示されている画面（待ち受け画面等）上に、例えば、「新規検査あり」等、最優先で読影を行うべき検査があることを示す情報が表示されたポップアップ画面として表示される。操作部３２により通知情報３３４が押下されると、制御部３１は、通知情報３３４が指定された旨を通信部３４によりサーバー装置２に通知する。
通知情報３３４は、ユーザーが、例えば、セキュリティー上の観点等から、読影アプリケーションを開いていない時に患者氏名等を画面表示したくない場合に有効であり、通知情報３３３と通知情報３３４は、設定によりいずれかの態様で通知を行うことが可能である。
【００５４】
次いで、制御部２１は、画像表示装置３から通知情報が指定された旨が通信部２４により受信されたか否かを判断する（ステップＳ８）。
操作部３２により通知情報が指定された旨が画像表示装置３から通知されたと判断した場合（ステップＳ８；ＹＥＳ）、制御部２１は、最優先で読影を行うべき検査の医用画像を読影するための読影画面３３５の画面情報を生成して通信部２４により画像表示装置３に送信し、表示部３３に読影画面３３５を表示させる（ステップＳ９）。
【００５５】
図１０に、読影画面３３５の一例を示す。図１０に示すように、読影画面３３５には、最優先で読影を行うべき検査の医用画像が表示される。ユーザーは、読影画面３３５において医用画像の読影を行い、読影レポートを作成する。読影レポートの作成が完了すると、例えば、操作部３２により読影画面３３５を閉じる操作等を行う。画像表示装置３の制御部３１は、操作部３２により読影完了を示す操作が検出されると、通信部３４によりサーバー装置２に読影完了の通知及び読影レポートを送信する。
【００５６】
通信部２４により画像表示装置３からの読影完了の通知及び読影レポートが受信されると（ステップＳ１０；ＹＥＳ）、制御部２１は、受信された読影レポートを記憶部２５に記憶して、その格納場所を検査情報ＤＢ２５２における読影された検査の検査情報に追加するとともに、読影ステータスを「読影完了」に変更し（ステップＳ１１）、ステップＳ１２に移行する。
【００５７】
一方、ステップＳ８において、画像表示装置３から通知情報が指定された旨が通信部２４により所定時間内に受信されなかったと判断した場合（ステップＳ８；ＮＯ）、制御部２１は、ステップＳ１２に移行する。
【００５８】
ステップＳ１２において、制御部２１は、通信部２４により画像表示装置３からのログアウト要求が受信されたか否かを判断する（ステップＳ１２）。ログアウト要求が受信されていないと判断した場合（ステップＳ１２；ＮＯ）、制御部２１は、ステップＳ２で読み込んだ読影優先順位設定情報に基づいて、検査ＤＢ２５２に記憶されている検査情報を再度ソートし（ステップＳ１３）、ステップＳ７に戻り、ステップＳ７〜Ｓ１２の処理を繰り返し実行する。
ステップＳ１３においては、ステップＳ３〜Ｓ６のソートが実行される。画像生成装置１から新たな医用画像が送信され、画像ＤＢ２５１に登録された場合は、新たな医用画像の検査も含めてソートすることができる。
【００５９】
通信部２４により画像表示装置３からのログアウト要求が受信されたと判断した場合（ステップＳ１２；ＹＥＳ）、制御部２１は、表示制御処理Ａを終了する。
【００６０】
なお、上記表示制御処理Ａでは、ログイン中は常時、読影優先順位設定情報に基づいて検査間の読影優先順位を決定し、優先的に読影を行うべき検査をユーザーに通知することとして説明したが、図１１に示すように、読影優先順位設定画面３３０に、上記の通知を使用することを指示するチェックボックス３３０ａを設け、制御部２１は、チェックボックス３３０ａにチェックが入った場合にのみ、表示制御処理Ａを実行して検査間の読影優先順位の決定及び優先して読影を行うべき検査の通知を行い、チェックが入っていない場合は、ユーザー操作に応じて検査リスト画面を表示部３３に表示し、ユーザーが検査リスト画面から選択した検査の医用画像を読影するための読影画面を表示する動作（通常動作と呼ぶ）を行うこととしてもよい。通常動作で表示される検査リスト画面は、例えば、検査時刻順、検査ＩＤ順等、サーバー装置２で予め定められた順で検査を並べた画面である。
このように構成すれば、ユーザーの運用に応じて、優先的に読影を行うべき検査の通知を行うか否かを容易に切り替えることができる。
【００６１】
読影優先順位設定画面３３０のチェックボックス３３０ａにチェックが入ったか否かの判断は、以下の手法により行うことができる。例えば、ユーザーＤＢ２５３の読影優先順位設定情報に通知フラグの項目を追加し、画像表示装置３から送信する読影優先順位設定情報にチェックの有無を示す通知フラグのＯＮ／ＯＦＦの情報を含める。制御部２１は、画像表示装置３から受信した読影優先順位設定情報の通知フラグの情報をユーザーＤＢ２５３に格納しておき、ユーザーがログインした際にこれを参照することで読影優先順位設定画面３３０のチェックボックス３３０ａにチェックが入ったか否かを判断可能である。
【００６２】
また、図１２に示すように、読影優先順位設定画面３３０に、優先的に読影を行うべき検査の通知を使用する曜日及び／又は時間帯を入力する入力欄３３０ｂを設け、制御部２１は、入力欄３３０ｂにおいて指定された曜日及び／又は時間帯にのみ、上記表示制御処理Ａを行って優先的に読影を行うべき検査の通知を行うこととし、それ以外の曜日及び／又は時間帯は、上述の通常動作としてもよい。
このように構成すれば、例えば、読影を行う曜日及び／又は時間帯が決まっている場合、その曜日及び／又は時間帯のみを通知を使用する時間として設定しておくことができ、通知の必要のない曜日及び／又は時間帯に通知が行われることを防止することができる。サーバー装置２側の負荷も低減することができる。
【００６３】
なお、読影優先順位設定画面３３０の入力欄３３０ｂから入力された曜日及び／又は時間帯は、以下の手法により特定することができる。例えば、ユーザーＤＢ２５３の読影優先順位設定情報に通知を使用する曜日及び／又は時間帯の項目を追加し、画像表示装置３から送信する読影優先順位設定情報に通知を使用する曜日及び／又は時間帯の情報を含める。制御部２１は、画像表示装置３から受信した読影優先順位設定情報の通知を使用する曜日及び／又は時間帯の情報をユーザーＤＢ２５３に格納しておき、ユーザーＤＢ２５３に登録されている内容に基づいて、通知を使用する曜日及び／又は時間帯を判断する。
【００６４】
また、上記表示制御処理Ａでは、第１優先項目から順に優先条件でソートを行って優先的に読影を行うべき検査を決定することとしたが、第１優先項目から順に優先条件でフィルタリングを行い、設定された全ての項目が優先条件に該当した検査のみを読影の優先順位の高い優先的に読影を行うべき検査として決定して通知を行ってもよい。なお、フィルタリングの結果、該当する検査がなかった場合は、通知は行われない。
【００６５】
＜第２の実施形態＞
以下、本発明の第２の実施形態について説明する。
第１の実施形態では、ユーザーにより設定された、検査情報における複数の項目間の優先順位及び項目毎の優先条件に従ってソートを行い、最上位となった検査を最優先に読影を行うべき検査としてユーザーに通知することとしたが、第２の実施形態では、優先順位が設定された項目のうちどの優先順位の項目までを緊急性の判断に使用するか（緊急性判断レベルと呼ぶ）をユーザーが設定可能とし、第１優先項目から設定された順位の項目まで順にフィルタリングを行い、得られた検査を優先的に読影を行うべき緊急性が高い検査としてユーザーに通知する例について説明する。
【００６６】
第２の実施形態において、記憶部２５には、後述する表示制御処理Ｂを実行するためのプログラムが記憶されている。また、記憶部２５のユーザーＤＢ２５３には、読影優先順位設定情報として、検査情報の複数の項目間の優先順位及び項目毎の優先条件の他、緊急性判断レベルを格納する項目が設けられている。
【００６７】
第２の実施形態におけるその他の構成は、第１の実施形態において図１〜図３を用いて説明したものと同様であるので説明を援用し、以下、第２の実施形態の動作について説明する。
【００６８】
画像表示装置３の制御部３１は、ユーザーが初めて読影アプリケーションにアクセスした際、読影アプリケーションに従って、新規ユーザー登録要求を通信部３４によりサーバー装置２に送信する。サーバー装置２の制御部２１は、新規ユーザー登録要求を受信すると、通信部２４によりユーザー登録画面（図示せず）の画面情報を画像表示装置３に送信して表示部３３に表示させ、ユーザーＩＤ、パスワード等のログイン情報、ユーザー名、診療科等のユーザー情報の入力を受け付ける。また、制御部２１は、読影優先順位設定画面３３６の画面情報を画像表示装置３に送信して表示部３３に表示させ、読影の優先順位を決定する際の検査情報における複数の項目間の優先順位、項目毎の優先条件及び緊急性判断レベル等の読影優先順位設定情報の入力を受け付ける。そして、サーバー装置２の制御部２１は、入力されたユーザー情報及び読影優先順位設定情報をユーザーＤＢ２５３に登録（設定）する。
【００６９】
図１３に、第２の実施形態において設定モードで表示される読影優先順位設定画面３３６の一例を示す。図１３に示すように、読影優先順位設定画面３３６は、図４に示す読影優先順位設定画面３３０と同様に、検査情報の複数項目の優先順位及び項目毎の優先条件を入力するための画面であるが、読影優先順位設定画面３３６には、更に緊急性判断レベルを設定するためのスライダー３３６ａが設けられている。スライダー３３６ａの移動によって、緊急性判断レベルを設定することができる。スライダー３３６ａにより緊急性判断レベルに設定された優先順位以上の項目が読影の緊急性の高い検査の判断に用いる項目として設定される。例えば、図１４に示すように緊急性判断レベルが第３優先項目に設定された場合、第１優先項目から第３優先項目までの全ての項目で優先条件に該当した検査が緊急性の高い検査として決定される。
なお、本実施形態では、優先順位１〜４（第１優先項目から第４優先項目まで）を設定可能である場合を例にとり説明するが、優先項目の数は特に限定されない。
【００７０】
ここで、読影アプリケーションでは、第１の実施形態と同様に、医用画像表示システム１００における動作モードとして読影モード又は設定モードを指定可能である。サーバー装置２は、画像表示装置３の読影アプリケーションによりログインが行われると、読影モードとして後述する表示制御処理Ｂを実行するが、読影アプリケーションにより設定モードでの動作が指示されると、ユーザー設定画面や読影優先順位設定画面３３６を表示部３３に表示させ、設定内容の変更を受け付ける。
【００７１】
以下、表示制御処理Ｂの動作について説明する。
図１５に、画像表示装置３において読影アプリケーションが起動され、サーバー装置２に読影アプリケーションからのアクセスがあった場合に制御部２１により実行される表示制御処理Ｂのフローチャートを示す。表示制御処理Ｂは、制御部２１と記憶部２５に記憶されているプログラムとの協働により実行される。
【００７２】
まず、制御部２１は、画像表示装置３の表示部３３にログイン画面を表示させ、ログイン画面から入力された情報に基づいてログイン認証を行う（ステップＳ２１）。
【００７３】
次いで、制御部２１は、ユーザーＤＢ２５３に記憶されている、ログインユーザーに対応する読影優先順位設定情報を読み込む（ステップＳ２２）。
【００７４】
次いで、制御部２１は、検査ＤＢ２５２に記憶されている検査情報を、読影優先順位設定情報に設定されている第１優先項目の優先条件に基づいてソートし（ステップＳ２３）、次いで、第２優先項目の優先条件に基づいてソートし（ステップＳ２４）、次いで、第３優先項目の優先条件に基づいてソートし（ステップＳ２５）、次いで、第４優先項目の優先条件に基づいてソートする（ステップＳ２６）。
ステップＳ２３〜Ｓ２６の処理により検査間の読影優先順位が決定される。
【００７５】
ここで、ステップＳ２２〜Ｓ２６は、サーバー装置２においてバックグラウンドで行われる処理であり、ユーザーは、この間に画像表示装置３の操作部３２を操作して、読影アプリケーションにより検査リスト画面の表示の指示等を行うことができる。画像表示装置３の制御部３１は、検査リスト画面の表示が指示されると、通信部３４によりサーバー装置２に検査リスト画面を要求する。サーバー装置２の制御部２１は、検査リスト画面の表示要求を受信すると、ステップＳ２６の終了を待機し、ステップＳ２６が終了すると、優先的に読影を行うべき検査の順（読影優先順位の高い順）にソートされた検査リスト画面を画像表示装置３に表示させる。これにより、ユーザーは、優先的に読影を行うべき検査を容易に認識することができる。また、ユーザーは、操作部３２を操作して読影アプリケーションの画面を閉じてもよく、読影アプリケーションの画面が閉じられてもログアウトするまでは、サーバー装置２において表示制御処理Ｂは実行される。
【００７６】
次いで、制御部２１は、読影優先順位設定情報の緊急性判断レベルを参照し、検査情報の緊急性判断レベルに設定された優先順位以上の項目を用いて、優先して読影を行うべき緊急性の高い検査を決定する（ステップＳ２７）。具体的には、緊急性判断レベルに設定された優先順位以上の項目の優先条件で検査情報のフィルタリングを行い、全ての項目の優先条件を満たしている検査を優先して読影を行うべき緊急性の高い検査であると決定する。
【００７７】
次いで、制御部２１は、緊急性の高い検査の有無を判断する（ステップＳ２８）。
緊急性の高い検査が存在すると判断した場合（ステップＳ２８；ＹＥＳ）、制御部２１は、優先的に読影を行うべき緊急性の高い検査をユーザーに通知するための通知情報を生成して通信部２４により画像表示装置３に送信し、画像表示装置３の表示部３３に表示させる（ステップＳ２９）。
通知情報の態様としては、図６〜図９に示した通知情報３３１〜３３４を用いることができる。緊急性の高い検査が複数存在した場合は、そのうちの一つの検査の情報を表示して、残りの緊急性の高い検査については件数を表示する。
操作部３２により通知情報が押下されると、画像表示装置３の制御部３１は、通知情報が指定された旨を通信部３４によりサーバー装置２に通知する。
【００７８】
制御部２１は、通信部２４により画像表示装置３から通知情報が指定された旨が受信されたか否かを判断する（ステップＳ３０）。
通知情報が指定された旨が画像表示装置３から通知されたと判断した場合（ステップＳ３０；ＹＥＳ）、制御部２１は、通知された緊急性の高い検査の医用画像を読影するための読影画面３３５の画面情報を生成して通信部２４により画像表示装置３に送信し、表示部３３に読影画面３３５（図１０参照）を表示させる（ステップＳ３１）。
【００７９】
画像表示装置３の制御部３１は、操作部３２により読影完了を示す操作が検出されると、通信部３４によりサーバー装置２に読影完了の通知及び読影レポートを送信する。
【００８０】
通信部２４により画像表示装置３からの読影完了の通知及び読影レポートが受信されると（ステップＳ３２；ＹＥＳ）、制御部２１は、受信された読影レポートを記憶部２５に記憶して、その格納場所を検査情報ＤＢ２５２における読影された検査の検査情報に追加するとともに、読影ステータスを「読影完了」に変更する（ステップＳ３３）。
【００８１】
次いで、制御部２１は、通信部２４により画像表示装置３からのログアウト要求が受信されたか否かを判断する（ステップＳ３４）。
ログアウト要求が受信されていないと判断した場合（ステップＳ３４；ＮＯ）、制御部２１は、未通知の緊急性の高い検査が存在するか否かを判断する（ステップＳ３５）。
未通知の緊急性の高い検査が存在すると判断した場合（ステップＳ３５；ＹＥＳ）、制御部２１は、ステップＳ２９に戻り、読影の緊急性の高い未通知の検査について、ステップＳ２９〜Ｓ３３の処理を行う。
未通知の緊急性の高い検査が存在しないと判断した場合（ステップＳ３５；ＮＯ）、制御部２１は、ステップＳ２２で読み込んだ読影優先順位設定情報に基づいて、検査情報ＤＢ２５２に記憶されている検査情報を再度ソートし（ステップＳ３６）、ステップＳ２７に戻る。画像生成装置１から新たな医用画像が送信され、画像ＤＢ２５１に登録された場合は、新たな医用画像の検査も含めてソートすることができる。
画像表示装置３からログアウト要求が受信されたと判断した場合（ステップＳ３４；ＮＯ）、制御部２１は、表示制御処理Ｂを終了する。
【００８２】
一方、ステップＳ２８において緊急性の高い検査が存在しないと判断した場合（ステップＳ２８；ＮＯ）、又は、ステップＳ３０において画像表示装置３から通知情報が指定された旨が所定時間内に通信部２４により受信されなかったと判断した場合（ステップＳ３０；ＮＯ）、制御部２１は、通信部２４により画像表示装置３からのログアウト要求が受信されたか否かを判断する（ステップＳ３７）。ログアウト要求が受信されていないと判断した場合（ステップＳ３７；ＮＯ）、制御部２１は、ステップＳ３６に移行する。
ログアウト要求が受信されたと判断した場合（ステップＳ３７；ＹＥＳ）、制御部２１は、表示制御処理Ｂを終了する。
【００８３】
なお、表示制御処理ＢのステップＳ２７では、緊急性判断レベルに設定された優先順位以上の項目の優先条件で検査情報のフィルタリングを行い、全ての項目の優先条件を満たしている検査情報に対応する検査を優先して読影を行うべき緊急性の高い検査であると決定することとしたが、ステップＳ２３〜Ｓ２６のソートの結果、最上位から予め設定された個数の範囲の検査情報に対応する検査を優先的に読影を行うべき緊急性の高い検査として決定することとしてもよい。
【００８４】
また、上記表示制御処理Ｂでは、ログイン中は常時、読影優先順位設定情報に基づいて検査間の読影優先順位を決定し、読影の緊急性の高い検査をユーザーに通知することとして説明したが、第１の実施形態と同様に、読影優先順位設定画面３３６に、読影の緊急性の高い検査の通知を使用することを指示するチェックボックスを設け（図１０参照）、制御部２１は、チェックボックスにチェックを入れた場合にのみ、表示制御処理Ｂを実行して検査間の読影優先順位の決定及び読影の緊急性の高い検査の通知を行い、チェックが入れられなかった場合は、ユーザー操作に応じて検査リスト画面を表示部３３に表示し、ユーザーが検査リスト画面から選択した検査の医用画像の読影画面を表示する動作（通常動作と呼ぶ）を行うこととしてもよい。通常動作で表示される検査リスト画面は、例えば、検査時刻順、検査ＩＤ順等、サーバー装置２で予め定められた順で検査を並べた画面である。
このように構成すれば、ユーザーの運用に応じて、優先的に読影を行うべき検査の通知を行うか否かを容易に切り替えることができる。
【００８５】
また、第１の実施形態と同様に、読影優先順位設定画面３３６に読影の緊急性の高い検査の通知を使用する曜日及び／又は時間帯を入力する入力欄を設け（図１１参照）、制御部２１は、入力欄において指定された曜日及び／又は時間帯にのみ、上記表示制御処理Ｂを行って読影の緊急性の高い検査の通知を行うこととし、それ以外の曜日及び／又は時間帯は、上述の通常動作としてもよい。
このように構成すれば、例えば、読影を行う曜日及び／又は時間帯が決まっている場合、その曜日及び／又は時間帯のみを通知を使用する時間として設定しておくことができ、通知の必要のない曜日及び／又は時間帯に通知が行われることを防止することができる。サーバー装置２側の負荷も低減することができる。
【００８６】
以上説明したように、サーバー装置２の制御部２１によれば、検査情報における複数の項目間の優先順位及び項目毎の優先条件を入力するための読影優先順位設定画面３３０（３３６）を画像表示装置３に表示させ、当該画面から入力された複数の項目間の優先順位及び項目毎の優先条件をユーザーＤＢ２５３に設定する。そして、設定された複数の項目間の優先順位及び項目毎の優先条件に基づいて、検査情報ＤＢ２５２に記憶されている検査情報を優先順位が上位の項目からソートして検査間の読影優先順位を決定し、優先的に読影を行うべき検査に関する情報を表示手段に表示させる。
したがって、ユーザーは、優先的に読影を行うべき検査の判断基準を項目間の優先順位によって設定することができ、その判断基準に従って決定された優先的に読影を行うべき検査を容易に認識することが可能となる。その結果、従来のように、情報量の多い検査リスト画面から優先的に読影を行うべき検査を判断する必要がなくなり、読影を行うべき検査を選択する時間を大幅に短縮することができ、読影効率を向上させることが可能となる。
【００８７】
例えば、制御部２１は、優先的に読影を行うべき検査をユーザーに通知するための通知情報を画像表示装置３に表示させる。
したがって、検査リスト画面を開いているか否かに拘わらず、ユーザーは、優先的に読影を行うべき検査を容易に認識することが可能となる。
【００８８】
また、例えば、制御部２１は、複数の項目間の優先順位及び項目毎の優先条件に基づいて検査情報ＤＢ２５２に記憶されている検査情報をソートし、最上位から予め設定された個数の範囲の検査情報に対応する検査を優先的に読影を行うべき緊急性の高い検査として決定し、決定した緊急性の高い検査をユーザーに通知するための通知情報を画像表示装置３に表示させる。
したがって、優先的に読影を行うべき緊急性の高い検査をユーザーが容易に認識することが可能となる。
【００８９】
また、例えば、制御部２１は、検査情報における複数の項目間の優先順位、項目毎の優先条件、及びいずれの優先順位の項目までを優先的に読影を行うべき緊急性の高い検査の決定に用いるかを入力するための読影優先順位設定画面３３６を画像表示装置３に表示させ、緊急性の高い検査の決定に用いる項目として設定された全ての項目がその項目の優先条件を満たす検査情報に対応する検査を優先的に読影を行うべき緊急性の高い検査として決定し、決定した緊急性の高い検査をユーザーに通知するための通知情報を画像表示装置３に表示させる。
したがって、優先的に読影を行うべき緊急性の高い検査をユーザーが容易に認識することが可能となる。
【００９０】
また、制御部２１は、ユーザー操作により画像表示装置３に表示された通知情報が指定された場合に、通知情報により通知された検査の医用画像を読影するための読影画面３３５を画像表示装置３に表示させる。
したがって、ユーザーは、通知された検査を検査リスト画面上で選択して読影画面を開く操作をすることなく直ちに読影を開始することができ、利便性が向上する。
【００９１】
また、読影優先順位設定画面３３０（３３６）は、優先的に読影を行うべき検査に関する情報の通知を使用する曜日及び／又は時間帯を設定可能に構成され、制御部２１は、設定された曜日及び／又は時間帯のみに検査間の読影優先順位の決定及び優先的に読影を行うべき検査の通知を行う。
したがって、読影を行う曜日及び／又は時間帯が決まっている場合、その曜日及び／又は時間帯のみを通知を行う時間として設定しておくことができ、通知の必要のない曜日及び／又は時間帯に通知が行われることを防止することが可能となる。
【００９２】
なお、上記実施形態における記述内容は、本発明の好適な一例であり、これに限定されるものではない。
【００９３】
例えば、上記実施形態においては、設定手段、制御手段としての機能をサーバー装置２側に設け、表示手段としての画像表示装置３に優先的に読影を行うべき検査に関する情報を表示させることとしたが、設定手段、制御手段としての機能を画像表示装置３側にもたせる構成としてもよい。例えば、サーバー装置２に記憶されている検査情報ＤＢ２５２、ユーザーＤＢ２５３の情報を画像表示装置３で取得して、画像表示装置３の制御部３１が表示制御処理Ａ又はＢを行うこととしてもよい。そして、読影画面を表示する際に、読影対象となる医用画像をサーバー装置２から取得して読影画面の表示を行うこととしてもよい。また、さらに画像表示装置３が記憶手段を有する構成とし、設定手段、制御手段としての機能を全て画像表示装置３で行うこととしてもよい。
【００９４】
また、上記実施形態においては、ログイン中に表示制御処理Ａ、表示制御処理Ｂを行って優先的に読影を行うべき検査の通知を画像表示装置３に行うこととしたが、ログイン中であるか否かに拘わらず、バックグラウンドで表示制御処理Ａや表示制御処理Ｂの処理を行って優先的に読影を行うべき検査の通知を画像表示装置３に行うこととしてもよい。また、読影を行うための画像表示装置３に限らず、例えば、読影アプリケーションが搭載されていないスマートフォンやタブレット等の予め登録された他の画像表示装置に優先的に読影を行うべき検査の通知情報を送信して表示させることとしてもよい。
【００９５】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００９６】
その他、医用画像表示システムを構成する各装置の細部構成及び細部動作に関しても、本発明の趣旨を逸脱することのない範囲で適宜変更可能である。
【符号の説明】
【００９７】
１００  医用画像表示システム
１  画像生成装置
２  サーバー装置
２１  制御部
２２  操作部
２３  表示部
２４  通信部
２５  記憶部
２５１  画像ＤＢ
２５２  検査情報ＤＢ
２５３  ユーザーＤＢ
２６  バス
３  画像表示装置
３１  制御部
３２  操作部
３３  表示部
３４  通信部
３５  記憶部
３６  バス
【図１】
2019215591.tif 000003
【図２】
2019215591.tif 000004
【図３】
2019215591.tif 000005
【図４】
2019215591.tif 000006
【図５】
2019215591.tif 000007
【図６】
2019215591.tif 000008
【図７】
2019215591.tif 000009
【図８】
2019215591.tif 000010
【図９】
2019215591.tif 000011
【図１０】
2019215591.tif 000012
【図１１】
2019215591.tif 000013
【図１２】
2019215591.tif 000014
【図１３】
2019215591.tif 000015
【図１４】
2019215591.tif 000016
【図１５】
2019215591.tif 000017